(57)【要約】  機器（１）を制御するアレンジメントであって、該アレンジメントは、接続ワイヤ（９）を介して前記機器（１）の制御モジュール（３）の制御及び検出器部材（４）に伝送される制御定値（８）を生成する制御ユニットを有する制御アセンブリ（６）を備え、前記アレンジメントは、前記制御アセンブリ（６）が、前記制御定値（８）により制御されて、電流定値信号を前記接続ワイヤ（９）上に配信する定電流源（７）を含み、前記機器（１）の前記制御モジュール（３）は、前記制御及び検出器部材（４）と並列に前記接続ワイヤ（９）に接続される可変負荷（１０）を含み、前記可変負荷（１０）は、前記制御及び検出器部材（４）により制御される大きさを有し、前記制御ユニット（５）は、前記接続ワイヤ（９）に接続される電圧センサ（１１）と、及び前記制御定値（８）からの負荷及び前記電圧センサ（１１）からの出力信号を計算する計算部材（１２）とを含む。【選択図】図１
2008511230.tif 000002
【特許請求の範囲】
【請求項１】
機器（１）を制御するアレンジメントであって、
該アレンジメントは、接続ワイヤ（９）を介して前記機器（１）の制御モジュール（３）の制御及び検出器部材（４）に伝送される制御定値（８）を生成する制御ユニット（５）を有する制御アセンブリ（６）を備え、
前記アレンジメントは、
前記制御アセンブリ（６）が、前記制御定値（８）により制御されて、電流定値信号を前記接続ワイヤ（９）上に配信する定電流源（７）を含み、
前記機器（１）の前記制御モジュール（３）は、前記制御及び検出器部材（４）と並列に前記接続ワイヤ（９）に接続される可変負荷（１０）を含み、
前記可変負荷（１０）は、前記制御及び検出器部材（４）により制御される大きさを有し、
前記制御ユニット（５）は、前記接続ワイヤ（９）に接続される電圧センサ（１１）と、及び前記制御定値（８）からの負荷及び前記電圧センサ（１１）からの出力信号を計算する計算器部材（１２）とを含む
ことを特徴とするアレンジメント。
【発明の詳細な説明】
【技術分野】
【０００１】
本発明は、機器の動作状態に関する情報を提供するのに好適な機器制御アレンジメントに関する。
【０００２】
本発明は、特に、自動車空調機器ユニット内のファン機器を制御する制御アレンジメントに適用される。
【背景技術】
【０００３】
特に自動車用の多数の機器は、多様な機器のための統合管理(coordinated management)を提供する中央集中制御ユニットにより制御されるものとして知られている。この目的のため、制御ユニットは、接続ワイヤを介して、機器のそれぞれに特有の制御モジュールに接続される。この接続ワイヤは、制御ユニットから、機器の制御モジュールへ定値(setpoint)信号を伝送する機能を果たす。
【０００４】
統合管理を提供するため、中央集中制御ユニットは、多様な機器の動作状態に関する情報を受信する必要がある。例えば、自動車空調機器ユニットは、コンプレッサ、コンデンサ、及びエバポレータ(evaporator)を備えるリフリジレータ(refrigerator)回路を含み、ここでこのコンデンサは、ファン機器により冷却される。このコンプレッサを制御するため、コンデンサがファン機器により冷却されていない場合に、コンプレッサが動作し続けることを回避するため、コンデンサファン機器の動作状態を知ることは重要である。
【０００５】
多様な機器の状態に関する情報を中央集中制御ユニットに伝送するため、異なる動作状態を検出する部材と、検出された動作状態に対応する周波数の情報信号を生成する多周波信号生成器とを備えるアレンジメントを使用することが知られている。この情報信号は、接続ワイヤにより伝播され、制御ユニットで分析されて、これから機器の動作状態が推定される。とは言え、多周波信号(multifrequency signals)を生成及び分析する部材は、比較的高価である。さらに、帯域における周波数の分析には、識別された(distinct)周波数の数の増加に伴って増加する時間長が要求される。
【０００６】
中央ユニットと機器制御モジュールとの間に付加的な接続ワイヤを追加することにより、情報を伝送することもまた知られており、ここで、それぞれの接続ワイヤは、動作状態の特定の一つに対応する。それぞれの動作状態に関する情報は、こうして瞬時に伝送され得る。
【０００７】
とは言え、機器のそれぞれに複数の接続ワイヤを取り付けることは、ワイヤハーネス(harnesses)の設置のコスト、及びこのワイヤハーネスを機器及び制御ユニットの双方に接続するためのコストの全体を著しく増加させる。
【発明の開示】
【発明が解決しようとする課題】
【０００８】
本発明の目的は、機器の動作状態に関する情報を、簡易かつ迅速に伝送することを可能とする機器制御アレンジメント(arrangement)を提供することにある。
【課題を解決するための手段】
【０００９】
この目的を達成するため、本発明は、一つの機器(a piece of equipment)を制御するためのアレンジメント(arrangement)を提供し、このアレンジメントは、接続ワイヤを介して、機器の制御モジュールの「制御及び検出器部材」に伝送される制御定値(control setpoint)を生成する制御ユニットを有する制御アセンブリを備え、ここで、この制御アセンブリは、制御定値によって制御され、接続ワイヤに亘って電流定値信号(current setpoint signal)を配信する定電流源(current generator)を含み、機器の制御モジュールは、制御及び検出器部材と並列に接続ワイヤに接続される可変負荷(variable load)を含み、この可変負荷は、制御及び検出器部材により制御される大きさを有し、この制御ユニットは、接続ワイヤに接続される電圧センサと、制御定値からの負荷(load)及び電圧センサからの出力信号を計算する計算器部材とを含む。
【００１０】
こうして、最初には、制御定値を伝送する機能を果たす接続ワイヤは、また、機器の動作状態に関する情報を伝達するためにも使用される。これにより、接続ワイヤの数及び接続の数は、変更されないままである。さらに、制御ユニットに付加されるコンポーネント及び機器の制御モジュールに付加されるコンポーネントは、非常に安価なコンポーネントであり、これにより、機器の動作状態に関する情報は、より少ないコストで伝送される。
【００１１】
本発明の他の特徴及び利点は、単一の添付図面である本発明に係る制御アレンジメントのブロックダイヤグラムを参照して、以下における本発明の詳細かつ非限定的実施形態の記述によって、明らかにされる。
【発明を実施するための最良の形態】
【００１２】
図を参照して、１つの機器１、例えば自動車空調機器ユニット用のファン機器（図示されず）は、電源２、例えば車両のバッテリーに接続される。機器１を貫流する電流は、制御モジュール３により制御され、この制御モジュール３は、また、電源２に接続され、機器１を制御して機器１の動作状態を検出する部材４を備える。制御モジュール３は、公知の方法に従い、接続ワイヤ９により、制御アセンブリ６の制御ユニット５に接続される。
【００１３】
本発明によれば、制御アセンブリ６は、制御ユニット５により生成された制御定値(control setpoint)８を受信する定電流源(current generator)７を含み、この定電流源７は、この制御定値を接続ワイヤ９に亘って伝送される電流制御定値(current control setpoint)に変換する。この電流制御定値は、機器の制御モジュール３により受信され、公知の方法に従って機器の動作を調整するために使用される。
【００１４】
本発明の第２の特徴によれば、機器１の制御モジュール３は、制御及び検出器部材４と並列に接続ワイヤ９に接続される可変負荷(variable load)１０を含む。この可変負荷の大きさ(magnitude)は、制御及び検出器部材４により、機器の動作状態の関数として制御される。実際には、可変負荷１０は、１キロオーム（ｋΩ）から１０キロオーム（ｋΩ）の範囲にわたって変動する抵抗(resistance)を表し、これに伴い、中間値(intermediate values)の数は、制御ユニットに伝送されるべき動作状態の数の関数として、変動する。
【００１５】
本発明の第３の特徴によれば、制御ユニット５は、接続ワイヤ９に接続される電圧センサ１１を含む。電圧センサ１１からの出力は、電流制御定値８を受信する第２の入力を有する計算器部材１２の入力に接続される。計算器部材１２は、こうして、単にオームの法則Ｖ＝ＩＲを適用することにより可変負荷１０の抵抗を決定し、及びそれから機器１の動作状態を推定することができる。
【００１６】
当然、本発明は、開示された実施形態に限定されず、クレームにより規定される本発明の範囲(ambit)を越えることなく、多様な実施形態がこれに適用され得る。
【００１７】
特に、定電流源７は、制御ユニット５の外部にあるものとして示され、一方電圧センサ１１は、制御ユニット内に一体化されるものとして示されたが、これらのコンポーネントの物理的配置は、概ね制御アセンブリ、制御ユニット及び機器制御モジュールを構成するプリント回路カードを設計する際の、所望の配置に実質的に依存する。
【図面の簡単な説明】
【００１８】
【図１】本発明に係る制御アレンジメントのブロックダイヤグラムである。
【図１】
2008511230.tif 000003
【国際調査報告】
2008511230.tif 000004
2008511230.tif 000005
2008511230.tif 000006
2008511230.tif 000007
2008511230.tif 000008
2008511230.tif 000009